(57)【要約】【課題】吸水マット上方の函体内に配される網状体の上面に敷設される球状シリカゲルの連通孔への嵌まり込みを防止した猫用トイレの提供。【解決手段】猫用トイレＡは、猫５が入れる大きさの函体１と、函体１の底部に載置される吸水マット２と、四角錐台形状の多数の連通孔（上側孔口１．５ｍｍ、下側孔口３ｍｍ）を網状部に設け、吸水マット２上方の函体１に配されるプラスチック製のスノコ３と、網状部の上面に敷設（３ｃｍ厚）される複種類径の球状シリカゲル４（直径２ｍｍ〜５ｍｍ）とを備える。連通孔は、上側の孔口が球状シリカゲル４より小さいので、猫用トイレＡは、球状シリカゲル４の連通孔への嵌まり込みを防止することができる。【選択図】図１
2007074996.tif 000002
【特許請求の範囲】
【請求項１】
上部が開口し、排泄を行う小動物が中に入れる大きさの函体と、
該函体の底部に載置され、排泄物の水分吸収が可能な吸水マットと、
上下方向へ連通する多数の連通孔を有し、吸水マット上方の函体内に水平に配される網状体と、
該網状体の上面に、所定の厚みに敷設される吸水性粒状体とを備える小動物用トイレにおいて、
前記網状体の前記連通孔は、上側の孔口が前記吸水性粒状体より小さく、下側へ行く程、断面積が連続的に大きくなっていく形状を呈することを特徴とする小動物用トイレ。
【請求項２】
上部が開口し、排泄を行う小動物が中に入れる大きさの函体と、
該函体の底部に載置され、排泄物の水分吸収が可能な吸水マットと、
上下方向へ連通する断面正方形の多数の連通孔を有し、吸水マット上方の函体内に水平に配される網状体と、
該網状体の上面に、所定の厚みに敷設される吸水性粒状体とを備える小動物用トイレにおいて、
前記網状体の前記連通孔は、上側の孔口が前記吸水性粒状体より小さく、下側へ行く程、断面積が連続的に大きくなっていく四角錐台形状を呈することを特徴とする小動物用トイレ。
【請求項３】
上部が開口し、排泄を行う猫が中に入れる大きさの函体と、
該函体の底部に載置され、排泄物の水分吸収が可能な吸水マットと、
上下方向へ連通する四角錐台形状の多数の連通孔を有し、吸水マット上方の函体内に水平に配される網状体と、
該網状体の上面に、所定の厚みに敷設される、直径２ｍｍ〜５ｍｍの球状シリカゲルとを備える猫用トイレであって、
前記網状体の前記連通孔は、上側の孔口の縦横長が、前記球状シリカゲルの直径より寸法が短い正方形の断面であり、下側へ行く程、断面積が連続的に大きくなっていくことを特徴とする猫用トイレ。
【請求項４】
前記網状体の上面には、格子状に上側補強枠が立設され、
前記網状体の下面には、角および交差する部分の寸法が長く、枠中央の寸法が短い下側補強枠が格子状に垂設されていることを特徴とする請求項３に記載の猫用トイレ。
【発明の詳細な説明】
【技術分野】
【０００１】
本発明は、小型犬、兎、猫等が排泄を行う小動物用トイレ、および猫が排泄を行う猫用トイレに関する。
【背景技術】
【０００２】
小動物用トイレは、トイレ本体の上部に、ネット部を有する中間トイレスライダーを取り付けている（特許文献１）。
ペット用トイレは、外側容器内に網状体を取り付け、球形のペット用トイレ砂を網状体の上面に積層している（特許文献２）。
猫の便器は、内壁面の網受け部に網を取り付けている（特許文献３）。
【特許文献１】特開２００３−６１４９８号公報
【特許文献２】特開平７−１１１８４１号公報
【特許文献３】実用新案登録第３００２２５８号
【発明の開示】
【発明が解決しようとする課題】
【０００３】
しかし、上記の技術は、下記に示す課題を有する。
特許文献１の小動物用トイレでは、猫が排泄した糞尿が、中間トイレスライダーのネット部に強固に付着するので掃除に手間がかかる。
特許文献２のペット用トイレでは、網状体の網目の大きさを規定していないので、ペット用トイレ砂が網状体の網目に嵌まり込む虞がある。また、ペットが排泄し、ペット用トイレ砂に吸収されなかった糞尿が網目から落下して外側容器内に溜まる。
特許文献３の猫の便器では、猫の砂が網目に嵌まり込む虞がある。
【０００４】
本発明の第１の目的は、吸水マット上方の函体内に配される網状体の上面に敷設される吸水性粒状体の連通孔への嵌まり込みを防止した小動物用トイレの提供にある。
本発明の第２の目的は、吸水マット上方の函体内に配される網状体の上面に敷設される球状シリカゲルの連通孔への嵌まり込みを防止した猫用トイレの提供にある。
【課題を解決するための手段】
【０００５】
〔請求項１について〕
小動物用トイレは、函体と、吸水マットと、網状体と、吸水性粒状体とを備える。
函体は、上部が開口し、排泄を行う小動物が中に入れる大きさである。
吸水マットは、函体の底部に載置され、排泄物の水分吸収が可能である。
網状体は、上下方向へ連通する多数の連通孔を有し、吸水マット上方の函体内に水平に配される。上記連通孔は、上側の孔口が吸水性粒状体より小さく、下側へ行く程、断面積が連続的に大きくなっていく形状を呈する。
吸水性粒状体は、網状体の上面に、所定の厚みに敷設され、小動物が排泄した排泄物の水分を吸収する。
【０００６】
連通孔の上側の孔口の大きさが吸水性粒状体の大きさより小さいので、連通孔の上側の孔口に吸水性粒状体が入らない。つまり、小動物用トイレは、函体内の吸水マットの上方に配される網状体の上面に敷設される吸水性粒状体の連通孔への嵌まり込みを防止することができる。
【０００７】
小動物が大量の排泄物を排泄して排泄場所に位置する吸水性粒状体の吸水性が飽和した場合や、吸水性が飽和している吸水性粒状体の場所へ小動物が排泄物を排泄した場合には、一部の排泄物の水分が吸水性粒状体で吸収されずに上側の孔口から連通孔へ浸入する。  しかし、連通孔は、下側へ行く程、断面積が連続的に大きくなっていく形状を呈するため、連通孔内で排泄物の水分が留まることなく、速やかに下側の孔口から出すことができる。なお、下側の孔口から出た排泄物の水分は、吸水マットに吸収される。
【０００８】
〔請求項２について〕
小動物用トイレは、函体と、吸水マットと、網状体と、吸水性粒状体とを備える。
函体は、上部が開口し、排泄を行う小動物が中に入れる大きさである。
吸水マットは、函体の底部に載置され、排泄物の水分吸収が可能である。
網状体は、上下方向へ連通する断面正方形の多数の連通孔を有し、吸水マット上方の函体内に水平に配される。上記連通孔は、上側の孔口が吸水性粒状体より小さく、下側へ行く程、断面積が連続的に大きくなっていく四角錐台形状を呈する。
吸水性粒状体は、網状体の上面に、所定の厚みに敷設される。
【０００９】
四角錐台形状を呈する断面正方形の連通孔の上側の孔口の大きさが吸水性粒状体の大きさより小さいので、連通孔の上側の孔口に吸水性粒状体が入らない。つまり、小動物用トイレは、吸水マット上方の函体内に水平に配される網状体の上面に敷設される吸水性粒状体の連通孔への嵌まり込みを防止することができる。
【００１０】
小動物が大量の排泄物を排泄して排泄場所に位置する吸水性粒状体の吸水性が飽和した場合や、吸水性が飽和している吸水性粒状体の場所へ小動物が排泄物を排泄した場合には、一部の排泄物の水分が吸水性粒状体で吸収されずに上側の孔口から連通孔へ浸入する。  しかし、断面正方形の連通孔は、下側へ行く程、断面積が連続的に大きくなっていく四角錐台形状を呈するため、連通孔内で排泄物の水分が留まることなく、速やかに下側の孔口から出すことができる。なお、下側の孔口から出た排泄物の水分は、吸水マットに吸収される。
【００１１】
〔請求項３について〕
猫用トイレは、函体と、吸水マットと、網状体と、球状シリカゲルとを備える。
函体は、上部が開口し、排泄を行う猫が中に入れる大きさである。
吸水マットは、函体の底部に載置され、排泄物の水分吸収が可能である。
網状体は、上下方向へ連通する多数の四角錐台形状の連通孔を有し、吸水マット上方の函体内に水平に配される。
上記連通孔は、上側の孔口の縦横長が、球状シリカゲルの直径より寸法が短い正方形の断面であり、下側へ行く程、断面積が連続的に大きくなっていく。
球状シリカゲルは直径２ｍｍ〜５ｍｍであり、網状体の上面に、所定の厚みに敷設される。なお、吸水性粒状体として球状シリカゲルを採用しているので、猫の皮膚や足にやさしいとともに、体積に対する表面積が大きいので排泄物の水分を効率良く吸水できる。
【００１２】
連通孔は、上側の孔口の縦横長が、球状シリカゲルの直径より寸法が短い正方形の断面であるので、連通孔の上側の孔口に球状シリカゲルが確実に入らない。つまり、猫用トイレは、函体内の吸水マットの上方に配される網状体の上面に敷設される球状シリカゲルの連通孔への嵌まり込みを防止することができる。
【００１３】
猫が大量の排泄物を排泄して排泄場所に位置する球状シリカゲルの吸水性が飽和した場合や、吸水性が飽和している球状シリカゲルの場所へ猫が排泄物を排泄した場合には、一部の排泄物の水分が球状シリカゲルで吸収されずに上側の孔口から連通孔へ浸入する。しかし、連通孔は、下側へ行く程、断面積が連続的に大きくなっていく四角錐台形状を呈するため、連通孔内で排泄物の水分が留まることなく、速やかに下側の孔口から出すことができる。なお、下側の孔口から出た排泄物の水分は、吸水マットに吸収される。
【００１４】
〔請求項４について〕
吸水マット上方の函体内に水平に配される網状体の上面に上側補強枠が格子状に立設され、網状体の下面に下側補強枠が格子状に垂設されているので強度が保たれ、所定の厚みに敷設した球状シリカゲルの上に猫が載って排泄動作を行っても変形し難い。
網状体の下面の下側補強枠は、角および交差する部分の寸法が長く、枠中央の寸法が短いので、吸水マットに吸水された排泄物の水分が、寸法が短い枠中央を通って隣の格子状部へ移動することができ、排泄物の水分を均一的に吸水することができる。
重量バランスが偏らないので、猫の排泄動作による猫用トイレの横倒しが防止できる。
【発明を実施するための最良の形態】
【００１５】
猫用トイレは、上部が開口し、猫が入れる大きさの函体と、函体の底部に載置される新聞紙と、四角錐台形状の多数の連通孔（上側孔口１．５ｍｍ、下側孔口３ｍｍ）を有し、新聞紙上方の函体内に水平に配されるプラスチック製の網状体と、この網状体の上面に敷設（３ｃｍ厚）される複種類径の球状シリカゲル（直径２ｍｍ〜５ｍｍ）とを備える。
【００１６】
連通孔は、上側の孔口が１．５ｍｍの正方形であるので、連通孔の上側の孔口に、球状シリカゲルが確実に入らない。つまり、猫用トイレは、吸水マット上方の函体内に水平に配される網状体の上面に敷設される球状シリカゲルの連通孔への嵌まり込みを防止することができる。
【実施例１】
【００１７】
本発明の実施例１（請求項１〜４に対応）を、図１〜図４に基づいて説明する。
猫用トイレＡは、函体１と、吸水マット２と、スノコ３と、球状シリカゲル４とを備える。
函体１（プラスチック製）は、上部が開口する断面正方形の函状を呈し、排泄物の排泄を行う猫５が中に入れる大きさを呈する。
【００１８】
吸水マット２は、本実施例では多重に折り重ねた古新聞紙であり、函体１の底部に載置される。この吸水マット２は、スノコ３から落滴する排泄物の水分（球状シリカゲル４で吸収されなかった排泄物の水分）の吸収を行う。
【００１９】
スノコ３（縦横４０ｃｍ、厚さ３ｍｍ）は、網状の網状部３１、筒状部３２、および係止部３３を備え、函体１の開口に嵌め込まれている（図１、図４参照）。
網状部３１は、上下方向へ連通する四角錐台形状の多数の連通孔３０を有し、吸水マット２上方の函体１内に位置する（図３、図４参照）。
この網状部３１の上面には、高さ５ｍｍの上側補強枠３４が格子状に立設されている。そして、網状部３１の下面には、角および交差する部分の寸法が長く（１０ｍｍ）、枠中央の寸法が短い（最小５ｍｍ）下側補強枠３５が格子状に垂設されている（図２参照）。  
【００２０】
球状シリカゲル４（珪素）は、球体であり、複種類の大きさ（直径２ｍｍ〜５ｍｍ）に製造されている。これらの球状シリカゲル４は、スコノ３の網状部３１の上面に、３ｃｍの厚みに敷設される。なお、これら球状シリカゲル４の一部に、排泄物が発する臭いを吸収して分解する脱臭成分、および排泄物中の雑菌を滅菌する抗菌成分を担持させている。  
【００２１】
本実施例１の猫用トイレＡは、下記の様に使用する。
（１）函体１の底部に吸水マット２（多重に折り重ねた古新聞紙）を載置する。
（２）下側補強枠３５が下側になる様に、吸水マット２を載置した函体１の開口にスノコ３を嵌め込む（図４参照）。
（３）３ｃｍの厚みになる様に、球状シリカゲル４をスノコ３の網状部３１の上面に敷設する。
【００２２】
（４）猫５が函体１内に入り、球状シリカゲル４の上面へ排泄物（尿や糞）を排泄する（図１参照）。
球状シリカゲル４は、排泄物の水分を吸収する。また、一部の球状シリカゲル４が、排泄物が発する臭いを吸収して分解し、排泄物中の雑菌を滅菌する。
【００２３】
猫５が大量の排泄物を排泄してその排泄場所に位置する球状シリカゲル４の吸水性が飽和した場合や、吸水性が飽和している球状シリカゲル４の場所へ猫５が排泄物を排泄した場合には、一部の排泄物の水分が球状シリカゲル４で吸収されずに上側の孔口から連通孔３０へ浸入する。
スノコ３の網状部３１の連通孔３０は、下側へ行く程、断面積が連続的に大きくなっていく四角錐台形状を呈するため、連通孔３０内で排泄物の水分が留まることなく速やかに下側の孔口から出て吸水マット２に吸収される。
【００２４】
（５）所定期間（約４週間）が経過すると、球状シリカゲル４の吸水性が飽和するため、スノコ３を取り外して吸水マット２を取り出す。球状シリカゲル４は熱湯で洗って乾燥（天日干し）してから再使用する。また、吸水マット２は廃棄する。
【００２５】
つぎに、実施例１の作用効果を述べる。
吸水マット上方の函体１内に水平に配されるスノコ３の網状部３１に開けられた四角錐台形状の連通孔３０は、上側の孔口の縦横長（各１．５ｍｍ）が、球状シリカゲル４の直径（２ｍｍ〜５ｍｍ）より寸法が短い正方形であるので、連通孔３０の上側の孔口に球状シリカゲル４が確実に入らない。
このため、猫用トイレＡは、スノコ３の網状部３１の上面に敷設される球状シリカゲル４の連通孔３０への嵌まり込みを防止することができ、球状シリカゲル４が連通孔３０に詰まることなく全て取り出すことができる。
【００２６】
猫５が大量の排泄物を排泄して排泄場所に位置する球状シリカゲル４の吸水性が飽和した場合や、吸水性が飽和している球状シリカゲル４の場所へ猫５が排泄物を排泄した場合には、一部の排泄物の水分が球状シリカゲル４で吸収されずに上側の孔口から連通孔３０へ浸入する。しかし、連通孔３０は、下側へ行く程、断面積が連続的に大きくなっていく四角錐台形状を呈するため、連通孔３０内で排泄物の水分が留まることなく、速やかに下側の孔口から出て吸水マット２に吸収される。
【００２７】
直径２ｍｍ〜５ｍｍの球状シリカゲル４をスノコ３の網状部３１の上面に３ｃｍの厚みに敷設した猫用トイレＡは、猫の皮膚や足を傷つけ難いとともに、猫５が排泄した排泄物の水分を効率良く吸水できる。これは、球状のシリカゲルを採用したのと、球は体積に対する表面積が大きいためである。
【００２８】
猫用トイレＡは、スノコ３の網状部３１の上面に上側補強枠３４を格子状に立設しているので、排泄後に猫５が行う“砂かけ動作”の際に球状シリカゲル４の移動を抑制することができ、網状部３１の露出を防止できる。
スノコ３は、角および交差する部分の寸法が長く枠中央の寸法が短い下側補強枠３５を網状部下面に格子状に垂設し、網状部上面に上側補強枠３４を格子状に立設しているので強度が保たれ、球状シリカゲル４の上に猫５が載って排泄動作を行うと適度に撓み、破損し難い。
【００２９】
本発明は、上記実施例以外に、以下の実施態様を含む。
ａ．吸水性粒状体は、シリカゲル以外のものであっても良い。また、球状以外の形状であっても良い（請求項１、２に対応）。
例えば、楕円球、歪んだ球体、トーラス、卵型、米粒状、小判状。
【００３０】
ｂ．網状体の連通孔は、円錐台形状であっても良い（請求項１に対応）。
ｃ．小動物は、猫以外に小犬等でも良い。
ｄ．吸水マットは、古新聞紙以外に、ペットシート、和紙、不織布、紙パルプ、トイレットペーパー等でも良い。
ｅ．函体の材質は、プラスチック以外に、腐食し難い金属、セラミック、ガラス等であっても良い。
ｆ．網状体の材質は、プラスチック以外に、腐食し難い金属、セラミック、ガラス等であっても良い。
ｇ．函体１は、スノコ３を支持する段部３６を内壁に有する構造でも良い（図５参照）。
【図面の簡単な説明】
【００３１】
【図１】本発明の実施例１に係る猫用トイレの構造を示す説明図である。
【図２】その猫用トイレに用いる網状体の外観を示す説明図である。
【図３】その猫用トイレに用いる網状体の表面、断面、裏面の様子を示す説明図である。
【図４】本発明の実施例１に係る猫用トイレにおいて、函体の開口に網状体を嵌め込んだ状態を示す断面図である。
【図５】本発明の変形例に係る猫用トイレにおいて、段部を有する函体の開口に網状体を嵌め込んだ状態を示す断面図である。
【符号の説明】
【００３２】
Ａ  猫用トイレ（小動物用トイレ）
１  函体
２  吸水マット
４  球状シリカゲル（吸水性粒状体）
５  猫（小動物）
３０  連通孔
３１  網状部（網状体）
３４  上側補強枠
３５  下側補強枠
【図１】
2007074996.tif 000003
【図２】
2007074996.tif 000004
【図３】
2007074996.tif 000005
【図４】
2007074996.tif 000006
【図５】
2007074996.tif 000007